(57)【特許請求の範囲】
【請求項１】
特に脚および腕（胸筋、三頭筋、腹筋、背筋、脚および腿の筋肉、そして他のグループの筋肉）のボディービルを可能にするデバイスであって、
前記デバイス（１）が、実質的に自由状態での形状が楕円形状となる主要部と、前記楕円形状の外側に位置して前記主要部の右側の点（Ａ、Ｂ）および左側の点（Ｃ、Ｄ）において前記主要部分と結合して設けられ、自由状態での形状が半円形状である２つの側方拡張部とを備えて、ストリップ状の属性を有する弾性部材から構成され、
前記点Ａ、Ｂと点Ｄ、Ｃとはそれぞれ前記楕円形状部分の長軸に対してほぼ対称に位置し、点Ａ，Ｄと点Ｂ、Ｃとはそれぞれ前記楕円形状部分の短軸に対してほぼ対称に位置し、
前記主要部の点Ａ、Ｂ間、および点Ｃ、Ｄ間のストリップの厚さは、前記デバイスの他のストリップの厚さより薄い厚さであり、
前記デバイスはユーザが把握可能であることを特徴とする、デバイス。
【請求項２】
前記デバイスが、プラスチック（ＰＡ６（ポリアミド・ナイロン６））で形成されていることを特徴とする、請求項１に記載のデバイス。
【請求項３】
前記プラスチック内に鋼帯を配置して、メモリー効果と、引っ張り、屈曲、および衝撃に対する大きな抵抗と、高い機械的強度と、剛性と、硬度と、疲労および摩耗に対する良好な抵抗特性とを提供するように構成されていることを特徴とする、請求項２に記載のデバイス。
【請求項４】
前記デバイスを構成するそれぞれのストリップは外方へ僅かに湾曲する湾曲部を有しており、前記半円形状である２つの側方拡張部の半径が１２０mmであることを特徴とする、請求項１から３のいずれかに記載のデバイス。
【請求項５】
大きな強度をアセンブリに提供するために、引張りの適用が最も強い箇所である前記主要部の点Ａ、Ｂ間、および点Ｃ、Ｄ間のストリップの湾曲の実質的に頂点のレベル（ｅ、ｆ）と、前記接合点（Ａ、Ｂ、Ｃ、Ｄ）のレベルとに補強するエレメント（９）を設けることが可能であることを特徴とする、請求項１から４のいずれかに記載のデバイス。
【請求項６】
前記デバイスを握りやすく、使いやすくするために、前記デバイスの前記主要部の点Ｄ、Ａ間、および点Ｃ，Ｄ間のストリップの頂点のレベルと、前記２つの側方拡張部の頂点のレベルとに、弾性材（またはポリエチレンあるいはウレタン・フォーム）から形成した追加のモールディング（８）を配置することが可能であることを特徴とする、請求項１から５のいずれかに記載のデバイス。
【請求項７】
前記追加のモールディング（８）および前記エレメント（９）の合計は１０個であることを特徴とする、請求項５または６に記載のデバイス。
【請求項８】
前記デバイスの長軸径が約５０cmの寸法を持ち、前記デバイスの厚い部分のストリップ（２、３、４、５）の厚さが約７mmであり、薄い部分のストリップ（６、７）の厚さが約４mmであることを特徴とする、請求項１から７のいずれかに記載のデバイス。
【請求項９】
前記長軸径が５１cm、前記ストリップの幅が５cmであることを特徴とする、請求項８に記載のデバイス。
【請求項１０】
請求項１〜９のいずれかに記載のデバイスの用法であって、
ユーザが握る位置に応じて、ユーザが圧力を加える位置に応じて、異なる抵抗力を加えることが可能であり、
主要部の点Ｄ、Ａ間、および点Ｂ、Ｃ間のストリップの頂点のレベルで前記デバイスを握ることによって低い抵抗力、
楕円形状部および側方拡張部の間を結合する接合点（ＡおよびＣ）または（ＢおよびＤ）のレベルで前記デバイスを握ることによって中間の抵抗力、
前記主要部の点Ａ、Ｂ間、および点Ｃ、Ｄ間の薄いストリップのレベルで前記デバイスを握ることによって強い抵抗力、
半円形状の２つの側方拡張部のレベルで前記デバイスを握ることによって非常に強い抵抗力、
前記半円形状の側方拡張部のレベルで前記デバイスを握って前記拡張部を相互へ近づけることによって「捻り」の抵抗力が得られることを特徴とする、デバイスの用法。
【請求項１１】
前記デバイスは、前記デバイスの各部に最大荷重を加えて圧縮した場合に、最大荷重と実質的に同じ力の抵抗力が得られるデバイスであり、
ユーザが圧力を加える位置に応じて（圧縮荷重をｋｇで表す）、
前記低い抵抗力の場合、16.2kgの最大荷重を適用して、最大圧縮における平均荷重が14kg、
前記中間の抵抗力の場合、15.2kgの最大荷重を適用して、最大圧縮における平均荷重が13.1kg、
前記強い抵抗力の場合、18.5kgの最大荷重を適用して、最大圧縮における平均荷重が17.5kg、
前記非常に強い抵抗力の場合、22.6kgの最大負荷を適用して、最大圧縮における平均荷重が20.2kg、
である抵抗力が得られることを特徴とする、請求項１０に記載の用法。
【請求項１２】
前記側方拡張部のレベルで前記デバイス（１）を握り、前記デバイスの内方へ同じタイプの圧力を加えると、前記薄いストリップが伸長されるため、加えた圧力に対抗する増加抵抗が生じることを特徴とする、請求項１０または１１に記載のデバイスの用法。
【請求項１３】
前記デバイス（１）を前記接合点（ＡおよびＣ）または（ＢおよびＤ）のレベルで握り、前記デバイスの内方へ圧力を加えると、前記薄いストリップの変形が中間の抵抗力を生じることを特徴とする、請求項１０〜１２のいずれかに記載のデバイスの用法。
【発明の詳細な説明】
【技術分野】
【０００１】
本発明は、特に、脚および腕の筋運動を可能にする、楕円形または卵形のボディービル・デバイスの技術分野に関する。
【背景技術】
【０００２】
スチールあるいはカーボン・ファイバーまたはグラス・ファイバー・サークルの単軸および二方向に沿った変形を持つ、リングまたはサークル・タイプのデバイスが既知である。これらは、抵抗リング型デバイスであり、脚および腕を鍛えることを実質的に可能にする。
【０００３】
それらは、（とりわけ「ピラティス」方法によって）筋肉の能力を向上させる、そして筋肉の調子を整える、あるいは単に体格を改善することが可能である。
【０００４】
これらの以前のデバイスの欠点は、調整を必要とする追加の抵抗手段（例えば「サンドウ」またはストラップ）を用いない限り、ユーザが適用できるのは、（常に同じ）単一タイプの力のみである、ということである。
【０００５】
もう一つの欠点は、高コストの材料から作られた、複数の部品（例えば、二本のアークから組み付けたサークル、ハンドル、「サンドウ」など）からなることである。製造工程が比較的複雑であり、したがって装置の生産コストが高い。
【発明の開示】
【発明が解決しようとする課題】
【０００６】
力に関する少なくとも二つの可能性を提供することによって、とりわけ脚および腕のボディービルを可能にする、簡単に少ないコストで製造できるデバイスを開発する真の必要性がある。
【０００７】
本発明は、少なくとも二つの抵抗力、好ましくは三つの力を持つ、特に腕および脚を鍛え上げるタイプのデバイスに関する。これらの力は、追加の部品を加えることなく、また特定な調整なしで達成できる。
【０００８】
したがって、本発明は、特に腕および脚（胸筋、三頭筋、腹筋、背筋、脚および腿の筋肉、そして他のグループの筋肉など）のボディービルが可能なデバイスに関する。
【発明を実施するための最良の形態】
【０００９】
本発明は、特にユーザが把握可能な、「イヤー」タイプの二つの側方拡張部（４、５）を備えた実質的に卵形状（１）を持つデバイスに関する。このデバイス、また、デバイスのアセンブリを形成する主要なストリップ（２、３、４、５）よりも薄い二つのストリップ（６、７）からなる。これらの二つの薄いストリップは、デバイスが創設する卵形状の延長上に形成されているため、上述の拡張部を通過し、点ＡおよびＢ、あるいはＣおよびＤを結合する。
【００１０】
このデバイスの卵形状に起因して、デバイス上に形成されたすべての湾曲部品は、外方へ僅かに湾曲している。主要ストリップの、そして「イヤー」タイプの側方拡張部の半径は、１２０mmであることが好ましいが、言うまでもなく、この寸法は、同業者の必要に適応させることができる。
【００１１】
このデバイスは、注入プラスチック（ＰＡ６（ポリアミド・ナイロン６））の単一品として形成された部品であることが好ましい。プラスチック材料における技術的進歩は、実質的なメモリー効果を持つ材料を獲得することを可能にしているが、メモリー効果を増強するために、また、より大きな抵抗を提供するために、プラスチック中に鋼帯を配置することができる。
【００１２】
加えて、複合材料には、以下の特性がある。引張りに対する良好な抵抗、屈曲性能、衝撃に対する良好な抵抗、高い機械的強度、剛性、硬度、疲労および磨耗に対する良好な抵抗。しかしながら、同業者は、このタイプのデバイスを単一品として製作できる、高強度および相当なメモリー効果を持つ、入手可能な他の材料を用いてもよい。そうすれば、部品は、適用された変形にかかわりなく、その初期形状を回復でき、そしてデバイスは、長期間に亘って定期的に使用可能で、その耐使用期間を通して最適な特性を提供する。
【００１３】
アセンブリをより強固にするために、引張りが最も強く作用する位置に、すなわち、湾曲の頂点（ｅ、ｆ）のレベルに、そしてストリップの接合点（Ａ、Ｂ、Ｃ、Ｄ）のレベルに実質的に、補強タイプ（９）のエレメントを加えることができる。
【００１４】
前記デバイスの寸法は、およそ直径で５０cmである。デバイスのストリップの厚さは、厚い部分（２、３、４、５）で約７mm、そして薄い部分（６、７）で約４mmである。
【００１５】
前記デバイス（図７）の好適実施例における寸法は、以下の通りである。直径５１cm、ストリップの幅５cm。
【００１６】
好適実施例によれば、デバイスの主要ストリップ（２、３、４、５）が形成する４本の弧の頂部のレベルで、すなわち、上側（２）、側方（イヤー・タイプの拡張部）（４、５）、そして下側（３）の部品のレベルで、容易に握って使用できるように、弾性材（またはポリエチレンあるいはウレタン・フォーム）から形成した、追加の快適モールディング（８）を設けることが可能である。
【００１７】
好適実施例（図７）によれば、デバイスは、追加の快適モールディング・タイプ（８）、そして補強タイプ（９）の、合計１０個のエレメントからなる。
【００１８】
本発明のもう一つの実施例によれば、この追加のモールディングは、デバイスの使用を快適にするために、人間工学的であることが好ましい。
【００１９】
使用材料は、ユーザが快適に手で握り、足で支持することを保証できれば、同業者が利用可能などのタイプのものでもよい。
【００２０】
ユーザが前記デバイスを握る位置に応じて、すなわち、ユーザが圧力を加える位置に応じて、異なる抵抗力を加えることが可能である。
【００２１】
・下側（３）および上側（２）部品のレベルで単にデバイスを握ることによって、小さな抵抗力（図２）。
【００２２】
・二つの卵形状部および拡張部の間で、すなわち異なるストリップ（Ａ＋Ｃ）（Ｄ＋Ｂ）の接合点レベルでデバイスを握ることによって、中間の抵抗力（図４）。
【００２３】
・前記薄いストリップ（６および７）のレベルでデバイスを握ることによって、強い抵抗力（図５）。
【００２４】
・「イヤー」タイプの側方拡張部（４、５）のレベルでデバイスを握ることによって、非常に強い抵抗力（図３）。
【００２５】
・「イヤー」タイプの側方拡張部（４、５）のレベルでデバイスを握り、そして前記拡張部を相互へ近づけることによって、「捻り」の抵抗力（図６）。
【００２６】
デバイスを下側（３）および上側（２）部品レベルで握り、デバイスの内部へ向けて（図の矢印が表す圧力）圧力を加えると、（外方への湾曲側で）薄いストリップ（６および７）は、抵抗を全く提供することなく、運動について行く。
【００２７】
他方、デバイスを側方拡張部部品（４、５）のレベルで握り、内部へ向けて同じタイプの圧力を加えたときには、前記薄いストリップ（６および７）は伸長されるため、加えられた圧力に対抗する抵抗力が増加する。
【００２８】
デバイスを接合点（ＡおよびＣ）または（ＢおよびＤ）のレベルで握り、内方へ圧力を加えた場合は、前記薄いストリップの変形が、中間の抵抗力を生み出す。
【００２９】
デバイスを薄いストリップ（６、７）のレベルで握り、内方へ圧力を加えた場合は、強い抵抗力が生じる。また、ユーザが適用する特定の圧力、すなわち適用可能最大力の約80％から、デバイスは、（特に「イヤー」タイプの側方拡張部の荷重の分布から）振動し始め、生じた振動が前腕の筋肉へ伝わる。
【００３０】
異なるストリップの厚さの違い、また、ＡをＢへ、そしてＣをＤへ結合する薄いストリップによる変形の阻止によって、異なる抵抗力を得ることができる。
【００３１】
本発明による前記デバイスを、１００Ｈｚでサンプリングを実行する動力測定プラットホームで、（推薦される使用状況として）次第に圧縮することによって試験した（図９から図１２を参照）。その結果を以下に記す（kgで表記）。
【００３２】
・低い抵抗力：16.2kgの最大荷重を適用して、最大圧縮における平均荷重は14kg。
【００３３】
・中間の抵抗力：15.2kgの最大荷重を適用して、最大圧縮における平均荷重は13.1kg。
【００３４】
・強い抵抗力：18.5kgの最大荷重を適用して、最大圧縮における平均荷重は17.5kg。
【００３５】
・非常に強い抵抗力：22.6kgの最大荷重を適用して、最大圧縮における平均荷重は20.2kg。
【００３６】
これらのテストは、本発明によるデバイスに対して、前記デバイスを圧縮すると、最大「プラトー」に到達するまで抵抗力が次第に増加することを示している。
【００３７】
比較の目的で、本発明によるデバイスが生じる最大荷重に近似する荷重での、（腹臥位において胴より上方へ伸ばした腕で、重りを支持するバールを保持しながら、そのバールを胴に接触させてからもう一度持ち上げる）「ベンチ・プレス」運動中の荷重計測も（kgで）実行した。
【００３８】
注目すべきは、「ベンチ・プレス」（図８を参照）に対して、抵抗力は運動の開始から実質的に最大で、押し上げたときに僅かに荷重が減少したことである。
【００３９】
したがって、同じ筋肉（胸筋）を働かせるなら、本発明によるデバイスを用いれば、（同じ荷重での）ベンチ・プレス運動を実行するよりも良好な結果が達成できる。
【００４０】
言うまでもなく、同業者には、応用に合わせて抵抗力を変更する仕方は明らかである。
【００４１】
したがって、異なるデバイスを用いることなく、また調整もせずに、（時折のユーザから経験豊かなユーザまで）誰にでも適当な、様々な運動を実行することが可能である。
【００４２】
前記デバイスのすべての技術特性を持つことを条件として、本出願で説明した以外の寸法を持つデバイスを提供することは、全く可能である。実際には、応用、そして実行する運動に合わせて、（例えば、子供向けに設計した）より小型の、または逆に大きな、デバイスを提供することが有利なこともある。補強および把握エレメントを修正することも可能である。
【００４３】
（本発明によるデバイスの使用例）
（例１）
本発明によるデバイスを、手で「イヤー」タイプ（４および５）の側方拡張部を握り、部品（３および２）のレベルに肘を配置し、そして肘を内方へ押すことによって、この運動は大胸筋に効率的に作用する。
【００４４】
（例２）
手で薄いストリップ（６および７）を握り、デバイスの内方へ圧力を加えながら、腕をほぼ最大に伸ばすことによって、この運動は胸筋に効果的に作用する。持続運動中、この位置によって生じる振動は、胸筋への運動をさらに改善することが可能である。
【００４５】
（例３）
地面に座り、本発明によるデバイスの接合点（ＡまたはＣ、あるいはＤまたはＢ）のレベルに膝を当て、地面に支持された状態で、脚を外方へ広げることによって、脚の外転筋を鍛えることができる。
【００４６】
これらは、本発明によるデバイスの、多くの可能な使用法のほんの数例である。前記デバイスの応用は広大であるため、すべてをリストすることはできない。
【００４７】
本発明は、また、同業者が、本出願を読むことによって、そして彼ら自身の知識に基づいて直接的にアクセス可能な、すべての実施例および応用をカバーする。
【図面の簡単な説明】
【００４８】
【図１】本発明による、静止した位置にあるデバイスを示す上面図である。
【図２】小さな抵抗力を起こす第一の圧力が加えられた同じデバイスを示す。
【図３】非常に強い抵抗力を起こす第二の圧力が加えられた同じデバイスを示す。
【図４】中間の抵抗力を起こす第三の圧力が加えられた同じデバイスを示す。
【図５】非常に強い抵抗力を起こす第四の圧力が加えられた同じデバイスを示す。
【図６】Ａ（正面図）およびＢ（側面図）からなり、「捻り」力として知られる第五の抵抗力を起こす圧力が加えられた、本発明によるデバイスを示す。
【図７】好適実施例による前記デバイスを示す。
【図８】ベンチ・プレス運動中、一定時間に亘って荷重が発達することを表すグラフである。
【図９】本発明によるデバイスの、小さな抵抗力を得るためにストリップ（２および３）のレベルで圧力を加えたときに一定時間に亘って圧縮荷重が発達することを表すグラフである。
【図１０】本発明によるデバイスの、中間の抵抗力を得るためにストリップ（ＡおよびＣ）あるいは（ＢおよびＤ）のレベルで圧力を加えたときに一定時間に亘って圧縮荷重が発達することを表すグラフである。
【図１１】本発明によるデバイスの、非常に強い抵抗力を得るためにストリップ（４および５）のレベルで圧力を加えたときに一定時間に亘って圧縮荷重が発達することを表すグラフである。
【図１２】本発明によるデバイスの、強い抵抗力を得るためにストリップ（６および７）のレベルで圧力を加えたときに一定時間に亘って圧縮荷重が発達することを表すグラフである。
【図１】
0005399717.tif 000002
【図２】
0005399717.tif 000003
【図３】
0005399717.tif 000004
【図４】
0005399717.tif 000005
【図５】
0005399717.tif 000006
【図６】
0005399717.tif 000007
【図７】
0005399717.tif 000008
【図８】
0005399717.tif 000009
【図９】
0005399717.tif 000010
【図１０】
0005399717.tif 000011
【図１１】
0005399717.tif 000012
【図１２】
0005399717.tif 000013